(57)【特許請求の範囲】
【請求項１】
無線通信システムにおいてユーザー機器でダウンリンク制御チャネルを不連続的にモニタリングする方法であって、
第１ＤＲＸ周期及び第２ＤＲＸ周期の両方に使用される不連続受信（Ｄｉｓｃｏｎｔｉｎｕｏｕｓ  Ｒｅｃｅｐｔｉｏｎ；ＤＲＸ）開始オフセットを基地局から受信する段階と、
前記第１ＤＲＸ周期に対する第１条件または前記第２ＤＲＸ周期に対する第２条件を満たすサブフレームでオンデューレーションタイマーを起動する段階と、
を含み、
前記第１条件で使用される第１ＤＲＸオフセットは、前記基地局から受信された前記ＤＲＸ開始オフセットに基づき、
前記第２条件で使用される第２ＤＲＸオフセットは、前記第２ＤＲＸ周期によるモジューロ演算後に前記基地局から受信された前記ＤＲＸ開始オフセットの余りに基づくことを特徴とする方法。
【請求項２】
前記第１ＤＲＸ周期は、前記第２ＤＲＸ周期よりも長いことを特徴とする、請求項１に記載の方法。
【請求項３】
前記第１及び第２ＤＲＸオフセットはそれぞれ、前記第１及び第２ＤＲＸ周期が使用される時、前記ダウンリンク制御チャネルをモニタリングするに当たって活性区間の開始位置を決定することを特徴とする、請求項１に記載の方法。
【請求項４】
前記不連続的なチャネルモニタリングは、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、及びＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）のうちのいずれか一つを用いて行われることを特徴とする、請求項１に記載の方法。
【請求項５】
前記第２ＤＲＸオフセットは、｛ＤＲＸ開始オフセット｝  ＭＯＤ  ｛第２ＤＲＸ周期｝となるように計算されることを特徴とする、請求項１に記載の方法。
【請求項６】
無線通信システムにおいてユーザー機器でダウンリンク制御チャネルを不連続的にモニタリングする装置であって、
第１ＤＲＸ周期及び第２ＤＲＸ周期の両方に使用される不連続受信（Ｄｉｓｃｏｎｔｉｎｕｏｕｓ  Ｒｅｃｅｐｔｉｏｎ；ＤＲＸ）開始オフセットを基地局から受信する無線周波数受信機と、
前記第１ＤＲＸ周期に対する第１条件または前記第２ＤＲＸ周期に対する第２条件を満たすサブフレームでオンデューレーションタイマーを起動するプロセッサと、
−前記第１条件で使用される第１ＤＲＸオフセットは、前記基地局から受信された前記ＤＲＸ開始オフセットに基づき、
前記第２条件で使用される第２ＤＲＸオフセットは、前記第２ＤＲＸ周期によるモジューロ演算後に前記基地局から受信された前記ＤＲＸ開始オフセットの余りに基づく。−
前記第１ＤＲＸオフセット及び第２ＤＲＸオフセットを格納するメモリーと、
を含むことを特徴とする装置。
【請求項７】
前記第１ＤＲＸ周期は、前記第２ＤＲＸ周期よりも長いことを特徴とする、請求項６に記載の装置。
【請求項８】
前記第１及び第２ＤＲＸオフセットはそれぞれ、前記第１及び第２ＤＲＸ周期が使用される時、前記ダウンリンク制御チャネルをモニタリングするに当たって活性区間の開始位置を決定することを特徴とする、請求項６に記載の装置。
【請求項９】
前記不連続的なチャネルモニタリングは、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、及びＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）のうちのいずれか一つを用いて行われることを特徴とする、請求項６に記載の装置。
【請求項１０】
前記第２ＤＲＸオフセットは、｛ＤＲＸ開始オフセット｝  ＭＯＤ  ｛第２ＤＲＸ周期｝となるように計算されることを特徴とする、請求項６に記載の装置。
【発明の詳細な説明】
【技術分野】
【０００１】
本発明はＬＴＥ（Ｌｏｎｇ  Ｔｅｒｍ  Ｅｖｏｌｕｔｉｏｎ）システムに係り、特に、無線通信システムにおいて端末がダウンリンク制御チャネルをモニタリングする方法に関するものである。
【背景技術】
【０００２】
図１は、Ｅ−ＵＭＴＳ（Ｅｖｏｌｖｅｄ  Ｕｎｉｖｅｒｓａｌ  Ｍｏｂｉｌｅ  ｔｅｌｅｃｏｍｍｕｎｉｃａｔｉｏｎ  ｓｙｓｔｅｍ）のネットワーク構造を示す図である。Ｅ−ＵＭＴＳシステムは、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）ＵＭＴＳシステムから進化したシステムで、その基礎的な標準化作業が３ＧＰＰ（３ｒｄ  Ｇｅｎｅｒａｔｉｏｎ  Ｐａｒｔｎｅｒｓｈｉｐ  Ｐｒｏｊｅｃｔ）で行われている。Ｅ−ＵＭＴＳは、ＬＴＥシステムとも呼ばれる。“３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ”のＲｅｌｅａｓｅ  ７とＲｅｌｅａｓｅ  ８がＥ−ＵＭＴＳに援用され、ＵＭＴＳ及びＥ−ＵＭＴＳの技術規格（ｔｅｃｈｎｉｃａｌ  ｓｐｅｃｉｆｉｃａｔｉｏｎ）の詳細について参照とされることができる。
【０００３】
図１に示すように、Ｅ−ＵＭＴＳは、端末（Ｕｓｅｒ  Ｅｑｕｉｐｍｅｎｔ；ＵＥ）、基地局（またはｅＮＢまたはｅＮｏｄｅ  Ｂ）、及び接続ゲートウェイ（Ａｃｃｅｓｓ  Ｇａｔｅｗａｙ；ＡＧ）で構成される。この接続ゲートウェイは、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）（図示せず）の終端に位置して外部ネットワークと連結する。
【０００４】
一般に、ｅＮＢは、ブロードキャストサービス、マルチキャストサービス及び／またはユニキャストサービスのために多重データストリームを同時に送信することができる。ＡＧは、ユーザートラフィックの処理を担当する部分と制御トラフィックを処理する部分とに区別できる。この場合、新しいユーザートラフィック処理を担当するＡＧ部分と制御トラフィックを処理するＡＧとは、新しいインターフェースを介して互いに通信することができる。一つのｅＮＢには一つ以上のセル（ｃｅｌｌ）が存在することができる。ユーザートラフィックまたは制御トラフィックを伝送するためのインターフェースがｅＮＢ同士間に用いられることができる。ＣＮ（Ｃｏｒｅ  Ｎｅｔｗｏｒｋ）は、ＡＧ及びＵＥのユーザー登録などのためのネットワークロードなどで構成されることができる。また、Ｅ−ＵＴＲＡＮとＣＮとを区分するためのインターフェースが用いられることができる。ＡＧはＴＡ（Ｔｒａｃｋｉｎｇ  Ａｒｅａ）単位でＵＥの移動性を管理する。ＴＡは、複数のセルで構成され、ＵＥは、特定ＴＡから他のＴＡに移動する場合、自身の位置しているＴＡが変更されたたことをＡＧに知らせる。
【０００５】
図２は、Ｅ−ＵＴＲＡＮのネットワーク構造を示す図である。Ｅ−ＵＴＲＡＮシステムは、既存ＵＴＲＡＮシステムの進化したバージョンである。Ｅ−ＵＴＲＡＮは、“ｅＮｏｄｅ  Ｂ”または“ｅＮＢ”とも呼ばれる基地局から構成され、これらのｅＮＢは、Ｘ２インターフェースを通じて互いに連結される。Ｘ２ユーザープレーンインターフェース（Ｘ２−Ｕ）（図示せず）は、ｅＮＢ間に定義される。Ｘ２−Ｕインターフェースは、ユーザープレーンパケットデータユニット（ＰＤＵ）の非保証伝達（ｎｏｎ  ｇｕａｒａｎｔｅｅｄ  ｄｅｌｉｖｅｒｙ）を提供する。Ｘ２制御プレーンインターフェース（Ｘ２−ＣＰ）（図示せず）は、二つの隣接ｅＮＢ間に定義される。Ｘ２−ＣＰは、ｅＮＢ間のコンテクスト（ｃｏｎｔｅｘｔ）伝送、ソースｅＮＢとターゲットｅＮＢとの間のユーザープレーントンネルの制御、ハンドオーバー関連メッセージの伝送、アップリンク負荷管理などの機能を果たす。
【０００６】
各ｅＮＢは無線インターフェースを介してＵＥと連結され、Ｓ１インターフェースを介してＥＰＣ（Ｅｖｏｌｖｅｄ  Ｐａｃｋｅｔ  Ｃｏｒｅ）に連結される。Ｓ１ユーザープレーンインターフェース（Ｓ１−Ｕ）（図示せず）は、ｅＮＢとＳ−ＧＷ（Ｓｅｒｖｉｎｇ  Ｇａｔｅｗａｙ）間に定義される。Ｓ１−Ｕインターフェースは、ｅＮＢとＳ−ＧＷ間にユーザープレーンＰＤＵの非保証伝達を提供する。Ｓ１制御プレーンインターフェース（Ｓ１−ＭＭＥ）（図示せず）は、ｅＮＢとＭＭＥ（Ｍｏｂｉｌｉｔｙ  Ｍａｎａｇｅｍｅｎｔ  Ｅｎｔｉｔｙ）（図示せず）間に定義される。Ｓ１インターフェースは、ＥＰＳ（Ｅｎｈａｎｃｅｄ  Ｐａｃｋｅｔ  Ｓｙｓｔｅｍ）ベアラサービス管理機能、ＮＡＳ（Ｎｏｎ−Ａｃｃｅｓｓ  Ｓｔｒａｔｕｍ）シグナリングトランスポート機能、ネットワークシェアリング機能、ＭＭＥ負荷バランシング機能を含めて様々な機能を果たす。
【０００７】
図３は、３ＧＰＰ無線接続網規格に基づくＵＥとＥ−ＵＴＲＡＮ間の無線インターフェースプロトコルにおける制御プレーン（Ｃｏｎｔｒｏｌ  Ｐｌａｎｅ）及びユーザープレーン（Ｕｓｅｒ  Ｐｌａｎｅ）構造を示す図である。無線インターフェースプロトコルは、水平的に、物理層（Ｐｈｙｓｉｃａｌ  Ｌａｙｅｒ）、データリンク層（Ｄａｔａ  Ｌｉｎｋ  Ｌａｙｅｒ）及びネットワーク層（Ｎｅｔｗｏｒｋ  Ｌａｙｅｒ）に区分され、垂直的には、データ伝送のためのユーザープレーンとシグナリングのための制御プレーンとに区分される。図３のプロトコル層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３層に基づいてＬ１（第１層）、Ｌ２（第２層）及びＬ３（第３層）に区別することができる。制御プレーンは、ＵＥとネットワークが呼を管理するために制御メッセージを伝送する通路である。ユーザープレーンは、アプリケーション層で生成されたデータ、例えば、音声データまたはインターネットパケットデータなどが伝送される通路である。以下、無線インターフェースプロトコルの制御プレーンとユーザープレーンの各層について詳細に説明する。
【０００８】
第１層である物理層は、物理チャネル（Ｐｈｙｓｉｃａｌ  Ｃｈａｎｎｅｌ）を用いて上位層に情報転送サービス（Ｉｎｆｏｒｍａｔｉｏｎ  Ｔｒａｎｓｆｅｒ  Ｓｅｒｖｉｃｅ）を提供する。物理層は、上位に位置する媒体接続制御（Ｍｅｄｉｕｍ  Ａｃｃｅｓｓ  Ｃｏｎｔｒｏｌ；ＭＡＣ）層と伝送チャネル（Ｔｒａｎｓｐｏｒｔ  Ｃｈａｎｎｅｌ）を通じて連結される。該伝送チャネルを通じてＭＡＣ層と物理層間にデータが伝送される。互いに異なる物理層、特に、送信側と受信側の各物理層間におけるデータ伝送が物理チャネルを通じてなされる。該物理チャネルは、時間及び周波数を無線リソースとしてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）により変調される。
【０００９】
第２層のＭＡＣ層は、上位に位置する無線リンク制御（Ｒａｄｉｏ  Ｌｉｎｋ  Ｃｏｎｔｒｏｌ；ＲＬＣ）層で、論理チャネル（Ｌｏｇｉｃａｌ  Ｃｈａｎｎｅｌ）を通じてサービスを提供する。第２層のＲＬＣ層は、信頼性できるデータ伝送を支援する。独立したＲＬＣ層が存在する必要がない場合には、ＲＬＣ層の機能がＭＡＣ層の内部の機能ブロックによって具現されても良い。第２層のＰＤＣＰ（Ｐａｃｋｅｔ  Ｄａｔａ  Ｃｏｎｖｅｒｇｅｎｃｅ  Ｐｒｏｔｏｃｏｌ）層は、相対的に帯域幅の狭い無線インターフェースでＩＰｖ４やＩＰｖ６のようなＩＰパケットを效率的に伝送する目的で、余分の制御情報を減らすヘッダー圧縮（Ｈｅａｄｅｒ  Ｃｏｍｐｒｅｓｓｉｏｎ）機能を果たす。
【００１０】
第３層の最下部に位置する無線リソース制御（Ｒａｄｉｏ  Ｒｅｓｏｕｒｃｅ  Ｃｏｎｔｒｏｌ；ＲＲＣ）層は制御プレーンでのみ定義され、無線ベアラ（Ｒａｄｉｏ  Ｂｅａｒｅｒ；ＲＢ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）と関連して論理チャネル、伝送チャネル及び物理チャネルの制御を担当する。ＲＢは、ＵＥとＥ−ＵＴＲＡＮ間のデータ伝達のために第２層により提供されるサービスである。このために、ＵＥのＲＲＣ層とネットワークのＲＲＣ層はＲＲＣメッセージを交換する。ＵＥのＲＲＣ層と無線ネットワークのＲＲＣ層間にＲＲＣ連結が確立されている場合、ＵＥは、ＲＲＣ連結状態（ＲＲＣ  Ｃｏｎｎｅｃｔｅｄ  Ｍｏｄｅ）にあり、そうでない場合、ＵＥはＲＲＣ休止状態（Ｉｄｌｅ  Ｍｏｄｅ）にあることとなる。ＲＲＣ層の上位に位置するＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）及び移動性管理（Ｍｏｂｉｌｉｔｙ  Ｍａｎａｇｅｍｅｎｔ）などの機能を果たす。ｅＮＢにおける一つのセルは、１．２５、２．５、５、１０、または２０ＭＨｚなどの帯域幅のうちのいずれか一つの帯域幅を使用するように設定され、ＵＥにダウンリンクまたはアップリンク伝送サービスを提供する。互いに異なるセルは、それぞれ異なる帯域幅を提供するように設定されることができる。
【００１１】
ネットワークでＵＥにデータを伝送するためのダウン伝送チャネルには、システム情報を伝送する放送チャネル（Ｂｒｏａｄｃａｓｔ  Ｃｈａｎｎｅｌ；ＢＣＨ）、ページングメッセージ（ｐａｇｉｎｇ  ｍｅｓｓａｇｅ）を伝送するページングチャネル（Ｐａｇｉｎｇ  Ｃｈａｎｎｅｌ；ＰＣＨ）、ユーザートラフィックや制御メッセージを伝送するダウンリンク共有チャネル（Ｓｈａｒｅｄ  Ｃｈａｎｎｅｌ；ＳＣＨ）がある。ダウンリンクマルチキャストまたは放送サービスのユーザートラフィックまたは制御メッセージは、ダウンリンクＳＣＨを通じて伝送されることができる。
【００１２】
または、ダウンリンクマルチキャストまたは放送サービスのユーザートラフィックまたは制御メッセージは、ダウンリンクマルチキャストチャネル（Ｍｕｌｔｉｃａｓｔ  Ｃｈａｎｎｅｌ；ＭＣＨ）を通じて伝送されることもできる。一方、ＵＥからネットワークにデータを伝送するためのアップ伝送チャネルには、初期制御メッセージを伝送するＲＡＣＨ（Ｒａｎｄｏｍ  Ａｃｃｅｓｓ  Ｃｈａｎｎｅｌ）、ユーザートラフィックや制御メッセージを伝送するアップリンクＳＣＨがある。
【００１３】
伝送チャネルの上位に位置し、伝送チャネルにマッピングされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）がある。
【００１４】
従来の不連続受信（Ｄｉｓｃｏｎｔｉｎｕｏｕｓ  Ｒｅｃｅｐｔｉｏｎ；ＤＲＸ）方法について説明すると、次の通りである。ＤＲＸは、ｅＮＢがＵＥにいつ無線リソース割当情報を送るかを決定する動作と関連する。ＵＥが、無線リソース割当情報を搬送（ｃａｒｒｙｉｎｇ）するダウンリンクチャネル、特に、ＰＤＣＣＨを常にモニタリング（ｍｏｎｉｔｏｒｉｎｇ）すると、電力消耗につながる。この問題を避けるために、ＵＥとｅＮＢ間のあらかじめ定められた規則に基づいて、特定の時間でのみｅＮＢがＵＥにＰＤＣＣＨを通じて無線リソース割当情報を伝送する。なお、受信機は当該あらかじめ定められた規則に基づいて特定の時間でＰＤＣＣＨを通じて無線リソース割当情報を受信するようになる。したがって、このＤＲＸ方法によってＵＥは特定の時間でのみＰＤＣＣＨをモニタリングすればいいので、電力消耗を減らすことができる。
【００１５】
次に、ＤＲＸの動作方法について説明する。ＬＴＥシステムにおいてＤＲＸのために２つのＤＲＸ周期（ｃｙｃｌｅ）、すなわち、長いＤＲＸ周期（Ｌｏｎｇ  ＤＲＸ  ｃｙｃｌｅ）と短いＤＲＸ周期（ｓｈｏｒｔ  ＤＲＸ  ｃｙｃｌｅ）が用いられる。データの伝送状況に応じて長いＤＲＸ周期と短いＤＲＸ周期を適切に使用することによって、バッテリー電力消耗を減らしながらデータの伝送遅延は最小化することができる。活性時間（Ａｃｔｉｖｅ  Ｔｉｍｅ）とは、ＵＥが活性化してダウンリンクチャネル、すなわち、ＰＤＣＣＨをモニタリングする時間のことを意味する。特に、活性時間は、スケジューリング要請（Ｓｃｈｅｄｕｌｉｎｇ  Ｒｅｑｕｅｓｔ）がペンディング（ｐｅｎｄｉｎｇ）する時間を含む。また、活性時間は、アップリンク伝送と関連して、無線リソース割当メッセージが再伝送されうる時間を含む。活性時間は、ＲＡＣＨ（Ｒａｎｄｏｍ  Ａｃｃｅｓｓ  Ｃｈａｎｎｅｌ）ＭＳＧ  ２（Ｍｅｓｓａｇｅ  ２）の受信から、新しい伝送（ｉｎｉｔｉａｌ  ｔｒａｎｓｍｉｓｓｉｏｎ）のための無線リソースの割当を示すＣ−ＲＮＴＩまたはＴ−Ｃ−ＲＮＴＩ（Ｔｅｍｐｏｒａｒｙ  Ｃ−ＲＮＴＩ）の受信までの時間を含む。活性時間の後にはＵＥがＰＤＣＣＨをモニタリングする必要がない。活性時間は、オンデューレーションタイマー（Ｏｎ  Ｄｕｒａｔｉｏｎ  Ｔｉｍｅｒ）、ＤＲＸ非活性タイマー（ＤＲＸ−Ｉｎａｃｔｉｖｉｔｙ  Ｔｉｍｅｒ）、ＤＲＸ再伝送タイマー（ＤＲＸＲｅｔｒａｎｓｍｉｓｓｉｏｎ  Ｔｉｍｅｒ）または競合解決タイマー（Ｃｏｎｔｅｎｔｉｏｎ  Ｒｅｓｏｌｕｔｉｏｎ  Ｔｉｍｅｒ）が動作している時間を含む。
【００１６】
オンデューレーションタイマーは、ＤＲＸ周期の始点から連続した（ｃｏｎｓｅｃｕｔｉｖｅ）ＰＤＣＣＨサブフレームの個数を指定する。ＤＲＸ非活性タイマーは、ＵＥのための最初（ｉｎｉｔｉａｌ）のアップリンクまたはダウンリンクユーザーデータ伝送を指示するＰＤＣＣＨを成功的にデコーディング（ｄｅｃｏｄｉｎｇ）した後、連続したＰＤＣＣＨサブフレームの個数を指定する。また、ＤＲＸ再伝送タイマーは、ＵＥがダウンリンク再伝送を予想すると直ちに当該再伝送のための連続したＰＤＣＣＨサブフレームの最大個数を指定する。また、競合解決タイマーは、ＭＳＧ  ３（Ｍｅｓｓａｇｅ  ３）が伝送された後、ＵＥがＰＤＣＣＨをモニタリングする連続したサブフレームの個数を指定する。
【００１７】
また、このＭＳＧ  ３は、Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｔｙ）ＭＡＣ（Ｍｅｄｉｕｍ  Ａｃｃｅｓｓ  Ｃｏｎｔｒｏｌ）ＣＥ（Ｃｏｎｔｒｏｌ  Ｅｌｅｍｅｎｔ）またはＣＣＣＨ（Ｃｏｍｍｏｎ  Ｃｏｎｔｒｏｌ  Ｃｈａｎｎｅｌ）ＳＤＵ（Ｓｅｒｖｉｃｅ  Ｄａｔａ  Ｕｎｉｔ）を含むアップリンク共有チャネル（Ｕｐｌｉｎｋ  Ｓｈａｒｅｄ  Ｃｈａｎｎｅｌ；ＵＬ−ＳＣＨ）を通じて伝送されるメッセージで、ランダムアクセス手順の一部として、上位層から提供され、ＵＥ競合解決識別子と関連する。
【００１８】
ＰＤＣＣＨサブフレームは、ＦＤＤ（Ｆｒｅｑｕｅｎｃｙ  Ｄｉｖｉｓｉｏｎ  Ｄｕｐｌｅｘ）で作動するＵＥにおいては任意のサブフレームを表し、ＴＤＤ（Ｔｉｍｅ  Ｄｉｖｉｓｉｏｎ  Ｄｕｐｌｅｘ）で動作するＵＥにおいては、ダウンリンクサブフレームとＤｗＰＴＳ（Ｄｏｗｎｌｉｎｋ  Ｐｉｌｏｔ  Ｔｉｍｅ  Ｓｌｏｔ）を含むサブフレームのみを表す。
【発明の概要】
【発明が解決しようとする課題】
【００１９】
ＤＲＸ機能が設定されると、ＵＥは、毎ＴＴＩ（Ｔｒａｎｓｍｉｓｓｉｏｎ  Ｔｉｍｅ  Ｉｎｔｅｒｖａｌ）ごとに次の動作を行う。短いＤＲＸ周期が使用され、［（ＳＦＮ×１０）＋サブフレーム番号］を短いＤＲＸ周期で割った余りが、ＤＲＸ開始オフセット（ＤＲＸ  ｓｔａｒｔ  Ｏｆｆｓｅｔ）周期と同一であれば、ＵＥは、オンデューレーションタイマーを起動する。このＳＦＮは、システムフレーム番号（Ｓｙｓｔｅｍ  Ｆｒａｍｅ  Ｎｕｍｂｅｒ）を表し、１システムフレームは１０個のサブフレーム（ｓｕｂｆｒａｍｅ）からなり、ＳＦＮはセル内で絶対的な時間の基準となる。なお、長いＤＲＸ周期が使用され、［（ＳＦＮ×１０）＋サブフレーム番号］を長いＤＲＸ周期で割った余りがＤＲＸ開始オフセットと同一であれば、ＵＥは、オンデューレーションタイマーを起動する。
【００２０】
もし、ＨＡＲＱ（Ｈｙｂｒｉｄ  Ａｕｔｏｍａｔｉｃ  Ｒｅｐｅａｔ  Ｒｅｑｕｅｓｔ）ＲＴＴ（Ｒｏｕｎｄ  Ｔｒｉｐ  Ｔｉｍｅ）タイマーが現在サブフレームで満了し、ＨＡＲＱバッファーに格納されたデータが成功的にデコーディングされないと、ＤＲＸ再伝送タイマーが起動される。ＤＲＸ命令、すなわち、ＤＲＸ  ＭＡＣ  ＣＥが受信されると、オンデューレーションタイマー及び非活性タイマーが終了する。ＤＲＸ非活性タイマーが満了したり、ＤＲＸ命令、すなわち、ＤＲＸ  ＭＡＣ  ＣＥが受信される場合、短いＤＲＸ周期が設定されていると、ＵＥは、ＤＲＸ短い周期タイマーを起動し、短いＤＲＸ周期を使用する。もし、短いＤＲＸ周期が設定されていないと、ＵＥは、長いＤＲＸ周期を使用する。もし、ＤＲＸ短い周期タイマーが満了すると、ＵＥは、長いＤＲＸ周期を使用する。
【００２１】
活性時間の間にＵＥは次のプロセスを行う。半二重（Ｈａｌｆ−ｄｕｐｌｅｘ）ＵＥのアップリンク伝送または測定ギャップ（ｍｅａｓｕｒｅｍｅｎｔ  ｇａｐ）を除いてＵＥはＰＤＣＣＨをモニタリングする。もし、ＵＥがダウンリンク割当（ａｓｓｉｇｎｍｅｎｔ）を受信したり、構成ダウンリンク割当（ｃｏｎｆｉｇｕｒｅｄ  ＤＬ  ａｓｓｓｉｇｍｅｎｔ）を搬送するサブフレームを受信した場合、該ＵＥはＨＡＲＱ  ＲＴＴタイマーを起動し、ＨＡＲＱプロセスに対するＤＲＸ再伝送タイマーを終了する。もし、ＰＤＣＣＨが新しい伝送（ｉｎｉｔｉａｌ  ｔｒａｎｓｍｉｓｓｉｏｎ）を指示する場合、ＵＥは、ＤＲＸ非活性タイマーを起動または再起動する。
【００２２】
ＬＴＥシステムは、ＤＲＸ開始オフセットを利用して、多数のＵＥがＰＤＣＣＨをモニタリングする時間を分散させる。しかし、短いＤＲＸ周期及び長いＤＲＸ周期の両方とも一つのＤＲＸ開始オフセットを使用する場合には問題が生じることがあり、これについては詳細に後述される。
【課題を解決するための手段】
【００２３】
したがって、本発明は、従来技術の限界及び欠点に起因する一つ以上の問題を実質的に防止するために、ＵＥでダウンリンク制御チャネルをモニタリングする方法を対象とする。
【００２４】
本発明が解決しようとする課題は、複数個のＤＲＸ周期を用いてＤＲＸ動作を行う場合に、一つのＤＲＸ開始オフセットを用いる場合にも、信頼できるＤＲＸ動作を可能にする方法を提示することである。
【００２５】
本発明の付加的な特徴及び効果は下の記載に説明され、その一部は下の記載から明らかになったり、本発明の実施からわかるであろう。本発明の上記課題及び他の効果は、添付した図面の他、本明細書及びその請求範囲で特定する構造により実現及び達成されるであろう。
【００２６】
上記の効果及び他の効果を達成するために、且つ本発明の目的に従って包括的に述べると、無線通信システムにおいてユーザー機器でダウンリンク制御チャネルを不連続的にモニタリングする方法は、第１ＤＲＸ周期及び第２ＤＲＸ周期の両方に使用される不連続受信（Ｄｉｓｃｏｎｔｉｎｕｏｕｓ  Ｒｅｃｅｐｔｉｏｎ；ＤＲＸ）開始オフセットを基地局から受信する段階と、
前記第１ＤＲＸ周期に対する第１条件または前記第２ＤＲＸ周期に対する第２条件を満たすサブフレームでオンデューレーションタイマーを起動する段階と、を含み、
前記第１条件で使用される第１ＤＲＸオフセットは、前記基地局から受信された前記ＤＲＸ開始オフセットに基づき、
前記第２条件で使用される第２ＤＲＸオフセットは、前記第２ＤＲＸ周期によるモジューロ演算後に前記基地局から受信された前記ＤＲＸ開始オフセットの余りに基づくことを特徴とする。
【００２７】
他の様態として、無線通信システムにおいてユーザー機器でダウンリンク制御チャネルを不連続的にモニタリングする方法は、ＤＲＸ周期に使用される不連続受信（Ｄｉｓｃｏｎｔｉｎｕｏｕｓ  Ｒｅｃｅｐｔｉｏｎ；ＤＲＸ）開始オフセットを基地局から受信する段階と、
前記ＤＲＸ周期に使用されるＤＲＸオフセットを｛ＤＲＸ開始オフセット｝  ＭＯＤ  ｛ＤＲＸ周期｝と計算する段階と、を含む。
【００２８】
他の様態として、無線通信システムにおいてユーザー機器でダウンリンク制御チャネルを不連続的にモニタリングする方法は、長いＤＲＸ周期に使用される不連続受信（Ｄｉｓｃｏｎｔｉｎｕｏｕｓ  Ｒｅｃｅｐｔｉｏｎ；ＤＲＸ）開始オフセットを基地局から受信する段階と、
前記短いＤＲＸ周期に使用されるＤＲＸオフセットを｛ＤＲＸ開始オフセット｝  ＭＯＤ  ｛短いＤＲＸ周期｝と計算する段階と、を含む。
【００２９】
他の様態として、無線通信システムにおいてユーザー機器でダウンリンク制御チャネルを不連続的にモニタリングする方法は、
基地局から前記ユーザー機器へのデータ伝送時に短いＤＲＸ周期が使用されるのか、長いＤＲＸ周期が使用されるのか判断する段階と、
前記データ伝送時に前記短いＤＲＸ周期が使用されると、｛（システムフレーム番号）×１０＋サブフレーム番号｝  ＭＯＤ  ｛短いＤＲＸ周期｝＝｛ＤＲＸ開始オフセット｝  ＭＯＤ  ｛短いＤＲＸ周期｝を満たすサブフレームでオンデューレーションタイマーを起動する段階と、
前記データ伝送時に前記長いＤＲＸ周期が使用されると、｛（システムフレーム番号）×１０＋サブフレーム番号｝  ＭＯＤ  ｛長いＤＲＸ周期｝＝｛ＤＲＸ開始オフセット｝を満たすサブフレームでオンデューレーションタイマーを起動する段階と、を含む。
【００３０】
他の様態として、無線通信システムにおいてユーザー機器でダウンリンク制御チャネルを不連続的にモニタリングする装置は、第１ＤＲＸ周期及び第２ＤＲＸ周期の両方に使用される不連続受信（Ｄｉｓｃｏｎｔｉｎｕｏｕｓ  Ｒｅｃｅｐｔｉｏｎ；ＤＲＸ）開始オフセットを基地局から受信する無線周波数受信機と、
前記第１ＤＲＸ周期に対する第１条件または前記第２ＤＲＸ周期に対する第２条件を満たすサブフレームでオンデューレーションタイマーを起動するプロセッサと
−前記第１条件で使用される第１ＤＲＸオフセットは、前記基地局から受信された前記ＤＲＸ開始オフセットに基づき、前記第２条件で使用される第２ＤＲＸオフセットは、前記第２ＤＲＸ周期によるモジューロ演算後に前記基地局から受信された前記ＤＲＸ開始オフセットの余りに基づく。−、
前記第１ＤＲＸオフセット及び第２ＤＲＸオフセットを格納するメモリーと、を含む。
【００３１】
他の様態として、無線通信システムにおいてユーザー機器でダウンリンク制御チャネルを不連続的にモニタリングする装置は、長いＤＲＸ周期に使用されるＤＲＸ開始オフセットを基地局から受信する無線周波数受信機と、
短いＤＲＸ周期に使用されるＤＲＸオフセットを｛ＤＲＸ開始オフセット｝  ＭＯＤ  ｛短いＤＲＸ周期｝と計算するプロセッサと、
前記計算されたＤＲＸオフセットを格納するメモリーと、を含む。
【００３２】
他の様態として、無線通信システムにおいてユーザー機器でダウンリンク制御チャネルを不連続的にモニタリングする装置は、
基地局から不連続受信（Ｄｉｓｃｏｎｔｉｎｕｏｕｓ  Ｒｅｃｅｐｔｉｏｎ；ＤＲＸ）開始オフセットを受信する無線周波数受信機と、
短いＤＲＸ周期が使用される時に、ＤＲＸオフセットを計算するプロセッサと、
前記計算されたＤＲＸオフセットを格納するメモリーと、を含む。
【００３３】
他の様態として、無線通信システムにおいてユーザー機器でダウンリンク制御チャネルを不連続的にモニタリングする方法は、
基地局から短いＤＲＸ開始オフセット及び長いＤＲＸ開始オフセットを受信する段階と、
前記基地局から前記ユーザー機器へのデータ伝送時に前記短いＤＲＸ周期が使用されるのか、前記長いＤＲＸ周期が使用されるのか判断する段階と、
基地局から前記ユーザー機器へのデータ伝送時に短いＤＲＸ周期が使用されると、｛（システムフレーム番号）×１０＋サブフレーム番号｝  ＭＯＤ  ｛短いＤＲＸ周期｝＝｛短いＤＲＸ開始オフセット｝を満たすサブフレームでオンデューレーションタイマーを起動する段階と、
前記データ伝送時に長いＤＲＸ周期が使用されると、｛（システムフレーム番号）×１０＋サブフレーム番号｝  ＭＯＤ  ｛長いＤＲＸ周期｝＝｛長いＤＲＸ開始オフセット｝を満たすサブフレームでオンデューレーションタイマーを起動する段階と、を含む。
【００３４】
他の様態として、無線通信システムにおいてユーザー機器でダウンリンク制御チャネルを不連続的にモニタリングする装置は、
基地局から短いＤＲＸ開始オフセット及び長いＤＲＸ開始オフセットを受信する無線周波数受信機と、
前記基地局から前記ユーザー機器へのデータ伝送時に前記短いＤＲＸ周期が使用されるのか、前記長いＤＲＸ周期が使用されるのか判断し、
前記基地局から前記ユーザー機器へのデータ伝送時に短いＤＲＸ周期が使用されると、｛（システムフレーム番号）×１０＋サブフレーム番号｝  ＭＯＤ  ｛短いＤＲＸ周期｝＝｛短いＤＲＸ開始オフセット｝を満たすサブフレームでオンデューレーションタイマーを起動し、
前記データ伝送時に長いＤＲＸ周期が使用されると、｛（システムフレーム番号）×１０＋サブフレーム番号｝  ＭＯＤ  ｛長いＤＲＸ周期｝＝｛ＤＲＸ開始オフセット｝を満たすサブフレームでオンデューレーションタイマーを起動するプロセッサと、を含む。
【００３５】
本発明の上述した一般的な説明及び後述する詳細な説明は両方とも例示的で且つ説明的なもので、請求された本発明のさらなる説明を提供するためのものである。
（項目１）
無線通信システムにおいてユーザー機器でダウンリンク制御チャネルを不連続的にモニタリングする方法であって、
第１ＤＲＸ周期及び第２ＤＲＸ周期の両方に使用される不連続受信（Ｄｉｓｃｏｎｔｉｎｕｏｕｓ  Ｒｅｃｅｐｔｉｏｎ；ＤＲＸ）開始オフセットを基地局から受信する段階と、
前記第１ＤＲＸ周期に対する第１条件または前記第２ＤＲＸ周期に対する第２条件を満たすサブフレームでオンデューレーションタイマーを起動する段階と、
を含み、
前記第１条件で使用される第１ＤＲＸオフセットは、前記基地局から受信された前記ＤＲＸ開始オフセットに基づき、
前記第２条件で使用される第２ＤＲＸオフセットは、前記第２ＤＲＸ周期によるモジューロ演算後に前記基地局から受信された前記ＤＲＸ開始オフセットの余りに基づくことを特徴とする方法。
（項目２）
前記第１ＤＲＸ周期は、前記第２ＤＲＸ周期よりも長いことを特徴とする、項目１に記載の方法。
（項目３）
前記第１及び第２ＤＲＸオフセットはそれぞれ、前記第１及び第２ＤＲＸ周期が使用される時、前記ダウンリンク制御チャネルをモニタリングするに当たって活性区間の開始位置を決定することを特徴とする、項目１に記載の方法。
（項目４）
前記不連続的なチャネルモニタリングは、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、及びＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）のうちのいずれか一つを用いて行われることを特徴とする、項目１に記載の方法。
（項目５）
前記第２ＤＲＸオフセットは、｛ＤＲＸ開始オフセット｝  ＭＯＤ  ｛第２ＤＲＸ周期｝となるように計算されることを特徴とする、項目１に記載の方法。
（項目６）
無線通信システムにおいてユーザー機器でダウンリンク制御チャネルを不連続的にモニタリングする方法であって、
ＤＲＸ周期に使用される不連続受信（Ｄｉｓｃｏｎｔｉｎｕｏｕｓ  Ｒｅｃｅｐｔｉｏｎ；ＤＲＸ）開始オフセットを基地局から受信する段階と、
前記ＤＲＸ周期に使用されるＤＲＸオフセットを｛ＤＲＸ開始オフセット｝  ＭＯＤ  ｛ＤＲＸ周期｝と計算する段階と、
を含むことを特徴とする方法。
（項目７）
無線通信システムにおいてユーザー機器でダウンリンク制御チャネルを不連続的にモニタリングする方法であって、
長いＤＲＸ周期に使用される不連続受信（Ｄｉｓｃｏｎｔｉｎｕｏｕｓ  Ｒｅｃｅｐｔｉｏｎ；ＤＲＸ）開始オフセットを基地局から受信する段階と、
短いＤＲＸ周期に使用されるＤＲＸオフセットを｛ＤＲＸ開始オフセット｝  ＭＯＤ  ｛短いＤＲＸ周期｝と計算する段階と、
を含むことを特徴とする方法。
（項目８）
無線通信システムにおいてユーザー機器でダウンリンク制御チャネルを不連続的にモニタリングする方法であって、
基地局から前記ユーザー機器へのデータ伝送時に短いＤＲＸ周期が使用されるのか、長いＤＲＸ周期が使用されるのか判断する段階と、
前記データ伝送時に前記短いＤＲＸ周期が使用されると、｛（システムフレーム番号）×１０＋サブフレーム番号｝  ＭＯＤ  ｛短いＤＲＸ周期｝＝｛ＤＲＸ開始オフセット｝  ＭＯＤ  ｛短いＤＲＸ周期｝を満たすサブフレームでオンデューレーションタイマーを起動する段階と、
前記データ伝送時に前記長いＤＲＸ周期が使用されると、｛（システムフレーム番号）×１０＋サブフレーム番号｝  ＭＯＤ  ｛長いＤＲＸ周期｝＝｛ＤＲＸ開始オフセット｝を満たすサブフレームでオンデューレーションタイマーを起動する段階と、
を含むことを特徴とする方法。
（項目９）
無線通信システムにおいてユーザー機器でダウンリンク制御チャネルを不連続的にモニタリングする装置であって、
第１ＤＲＸ周期及び第２ＤＲＸ周期の両方に使用される不連続受信（Ｄｉｓｃｏｎｔｉｎｕｏｕｓ  Ｒｅｃｅｐｔｉｏｎ；ＤＲＸ）開始オフセットを基地局から受信する無線周波数受信機と、
前記第１ＤＲＸ周期に対する第１条件または前記第２ＤＲＸ周期に対する第２条件を満たすサブフレームでオンデューレーションタイマーを起動するプロセッサと、
−前記第１条件で使用される第１ＤＲＸオフセットは、前記基地局から受信された前記ＤＲＸ開始オフセットに基づき、
前記第２条件で使用される第２ＤＲＸオフセットは、前記第２ＤＲＸ周期によるモジューロ演算後に前記基地局から受信された前記ＤＲＸ開始オフセットの余りに基づく。−
前記第１ＤＲＸオフセット及び第２ＤＲＸオフセットを格納するメモリーと、
を含むことを特徴とする装置。
（項目１０）
前記第１ＤＲＸ周期は、前記第２ＤＲＸ周期よりも長いことを特徴とする、項目９に記載の装置。
（項目１１）
前記第１及び第２ＤＲＸオフセットはそれぞれ、前記第１及び第２ＤＲＸ周期が使用される時、前記ダウンリンク制御チャネルをモニタリングするに当たって活性区間の開始位置を決定することを特徴とする、項目９に記載の装置。
（項目１２）
前記不連続的なチャネルモニタリングは、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、及びＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）のうちのいずれか一つを用いて行われることを特徴とする、項目９に記載の装置。
（項目１３）
前記第２ＤＲＸオフセットは、｛ＤＲＸ開始オフセット｝  ＭＯＤ  ｛第２ＤＲＸ周期｝となるように計算されることを特徴とする、項目９に記載の装置。
（項目１４）
無線通信システムにおいてユーザー機器でダウンリンク制御チャネルを不連続的にモニタリングする装置であって、
長いＤＲＸ周期に使用されるＤＲＸ開始オフセットを基地局から受信する無線周波数受信機と、
短いＤＲＸ周期に使用されるＤＲＸオフセットを｛ＤＲＸ開始オフセット｝  ＭＯＤ  ｛短いＤＲＸ周期｝と計算するプロセッサと、
前記計算されたＤＲＸオフセットを格納するメモリーと、
を含むことを特徴とする装置。
（項目１５）
無線通信システムにおいてユーザー機器でダウンリンク制御チャネルを不連続的にモニタリングする装置であって、
基地局から不連続受信（Ｄｉｓｃｏｎｔｉｎｕｏｕｓ  Ｒｅｃｅｐｔｉｏｎ；ＤＲＸ）開始オフセットを受信する無線周波数受信機と、
短いＤＲＸ周期が使用される時、ＤＲＸオフセットを計算するプロセッサと、
前記計算されたＤＲＸオフセットを格納するメモリーと、
を含むことを特徴とする装置。
（項目１６）
前記プロセッサは、
前記基地局から前記ユーザー機器へのデータ伝送時に短いＤＲＸ周期が使用されるのか、長いＤＲＸ周期が使用されるのか判断し、
前記データ伝送時に前記短いＤＲＸ周期が使用されると、｛（システムフレーム番号）×１０＋サブフレーム番号｝  ＭＯＤ  ｛短いＤＲＸ周期｝＝｛ＤＲＸ開始オフセット｝  ＭＯＤ  ｛短いＤＲＸ周期｝を満たすサブフレームでオンデューレーションタイマーを起動し、
前記データ伝送時に長いＤＲＸ周期が使用されると、｛（システムフレーム番号）×１０＋サブフレーム番号｝  ＭＯＤ  ｛長いＤＲＸ周期｝＝｛ＤＲＸ開始オフセット｝を満たすサブフレームでオンデューレーションタイマーを起動することを特徴とする、項目１５に記載の装置。
（項目１７）
無線通信システムにおいてユーザー機器でダウンリンク制御チャネルを不連続的にモニタリングする方法であって、
基地局から短いＤＲＸ開始オフセット及び長いＤＲＸ開始オフセットを受信する段階と、
前記基地局から前記ユーザー機器へのデータ伝送時に前記短いＤＲＸ周期が使用されるのか、前記長いＤＲＸ周期が使用されるのか判断する段階と、
基地局から前記ユーザー機器へのデータ伝送時に短いＤＲＸ周期が使用されると、｛（システムフレーム番号）×１０＋サブフレーム番号｝  ＭＯＤ  ｛短いＤＲＸ周期｝＝｛短いＤＲＸ開始オフセット｝を満たすサブフレームでオンデューレーションタイマーを起動する段階と、
前記データ伝送時に長いＤＲＸ周期が使用されると、｛（システムフレーム番号）×１０＋サブフレーム番号｝  ＭＯＤ  ｛長いＤＲＸ周期｝＝｛長いＤＲＸ開始オフセット｝を満たすサブフレームでオンデューレーションタイマーを起動する段階、
を含むことを特徴とする方法。
（項目１８）
無線通信システムにおいてユーザー機器でダウンリンク制御チャネルを不連続的にモニタリングする装置であって、
基地局から短いＤＲＸ開始オフセット及び長いＤＲＸ開始オフセットを受信する無線周波数受信機と、
前記基地局から前記ユーザー機器へのデータ伝送時に前記短いＤＲＸ周期が使用されるのか、前記長いＤＲＸ周期が使用されるのか判断し、
前記基地局から前記ユーザー機器へのデータ伝送時に短いＤＲＸ周期が使用されると、｛（システムフレーム番号）×１０＋サブフレーム番号｝  ＭＯＤ  ｛短いＤＲＸ周期｝＝｛短いＤＲＸ開始オフセット｝を満たすサブフレームでオンデューレーションタイマーを起動し、
前記データ伝送時に長いＤＲＸ周期が使用されると、｛（システムフレーム番号）×１０＋サブフレーム番号｝  ＭＯＤ  ｛長いＤＲＸ周期｝＝｛ＤＲＸ開始オフセット｝を満たすサブフレームでオンデューレーションタイマーを起動するプロセッサと、
を含むことを特徴とする装置。
【発明の効果】
【００３６】
本発明の実施例によれば、ＤＲＸ動作中にｅＮＢからＵＥに伝送されるメッセージの大きさを変更しないことによって無線リソースを節約することができる。より詳細に説明すると、ｅＮＢは、一つの値、すなわち、一つのＤＲＸ開始オフセットをＵＥに伝送することによってシグナリングを效果的に行うことができる。
【００３７】
本発明の効果は以上で言及した効果に制限されず、言及していない他の効果は、下の記載から、本発明の属する技術の分野における通常の知識を有する者には明らかになるであろう。
【図面の簡単な説明】
【００３８】
本発明に関する理解を助けるために詳細な説明の一部として含まれる添付の図面は、本発明の実施例を提供し、詳細な説明と共に本発明の技術的思想を説明する。
【図１】関連技術に係る、Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）のネットワーク構造を示す図である。
【図２】関連技術に係る、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のネットワーク構造を示す図である。
【図３】関連技術に係る、端末とＥ−ＵＴＲＡＮ間の無線インターフェースプロトコル（Ｒａｄｉｏ  Ｉｎｔｅｒｆａｃｅ  Ｐｒｏｔｏｃｏｌ）の制御プレーンとユーザープレーンの構造を示す図である。
【図４】ＤＲＸ周期を説明する図である。
【図５】本発明の一実施例に係るＤＲＸ動作を示すフローチャートである。
【図６】ｅＮＢまたはＵＥに適用可能であり、本発明の実施例に係るＤＲＸ方法を具現するためのデバイスの構成を示すブロック図である。
【発明を実施するための形態】
【００３９】
以下、本発明の好適な実施形態を、添付の図面を参照しつつ詳細に説明する。添付した図面と共に以下に開示される詳細な説明は、本発明の例示的な実施形態を説明するためのもので、本発明により具現されうる唯一の実施形態を示すものではない。
【００４０】
以下の詳細な説明は、本発明の完全な理解を助けるために具体的な細部事項を含む。しかし、当業者には、本発明をそれらの具体的な細部事項なしにも実施可能であることが理解できる。例えば、以下の記載は、一定の用語を中心に説明されるが、これらの用語に限定されず、同一の意味を表す他の用語に取り替えることもできる。また、本明細書全体を通じて同一のまたは類似の構成要素については、可能なかぎり、同一の図面符号を使用して説明する。
【００４１】
以下に説明される技術、装置及びシステムは、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  ＭｕｌｔｉｐｌｅＡｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）を含む様々な無線接続技術に適用されることができる。
【００４２】
ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）またはＣＤＭＡ２のような無線技術で実行されることができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＧＰＲＳ（Ｇｌｏｂａｌ  Ｐａｃｋｅｔ  Ｒａｄｉｏ  Ｓｅｒｖｉｃｅ）、ＥＤＧＥ（Ｅｎｈａｎｃｅｄ  Ｄａｔａ  Ｒａｔｅ  ｆｏｒ  ＧＳＭ  Ｅｖｏｌｕｔｉｏｎ）などのような無線技術で実行されることができる。また、ＯＦＤＭＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）  ８０２．１１（Ｗｉ−Ｆｉ（Ｗｉｒｅｌｅｓｓ  Ｆｉｄｅｌｉｔｙ））、ＩＥＥＥ  ８０２．１６（ＷｉＭＡＸ（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ  ８０２．２０、Ｅ−ＵＴＲＡ（ＥＶＯＬＶＥＤ−ＵＴＲＡ）などのような無線技術で実行されることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡを使用するＥ−ＵＭＴＳ（Ｅｖｏｌｖｅｄ−ＵＭＴＳ）の一部である。３ＧＰＰ  ＬＴＥは、ダウンリンクではＯＦＤＭＡを適用し、アップリンクではＳＣ−ＦＤＭＡを適用する。
【００４３】
以下、本発明の好適な実施例によるＤＲＸ設定方法について説明する。ＵＥが、ＰＤＣＣＨ（Ｐｈｙｓｉｃａｌ  Ｄｏｗｎｌｉｎｋ  Ｃｏｎｔｒｏｌ  Ｃｈａｎｎｅｌ）を不連続的に受信できるようにするＤＲＸ機能は、ＲＲＣ（Ｒａｄｉｏ  Ｒｅｓｏｕｒｃｅ  Ｃｏｎｔｒｏｌ）シグナリングにより構成されることができる。
【００４４】
図４は、ＤＲＸ周期（ｃｙｃｌｅ）を説明する図である。図４示すように、オンデューレーション（Ｏｎ  Ｄｕｒａｔｉｏｎ）期間に、ＵＥはＰＤＣＣＨをモニタリングする。ＤＲＸ周期（ＤＲＸ  Ｃｙｃｌｅ）は、発生可能な非活性化周期が次に続くオンデューレーションの反復周期を特定する。
【００４５】
図５は、本発明の一実施例によるＤＲＸ動作を説明する図である。図５に示すように、ＵＥは、ＲＲＣシグナリングを通じてｅＮＢからＤＲＸ情報を受信する（５１０段階）。該受信したＤＲＸ情報に基づいてＵＥはＤＲＸ動作を行う（５２０段階）。このＤＲＸ情報は、下の表１の通りである。
【００４６】
【表１】
0005209797.tif 000002
ここで、Ｏｎ  Ｄｕｒｔｉｏｎ  Ｔｉｍｅｒは、ＤＲＸ周期の一部である。このＯｎ  Ｄｕｒｔｉｏｎ  Ｔｉｍｅｒは、ＵＥがリソース割当のためのＰＤＣＣＨをモニタリングする連続的なＴＴＩの数を指定する。ＤＲＸ−Ｉｎａｃｔｉｖｉｔｙ  Ｔｉｍｅｒは、ＵＥが、自身のための新しいユーザーデータ伝送を表すＰＤＣＣＨを成功的にデコーディングした後に、このＰＤＣＣＨをＵＥがモニタリングする連続的なＴＴＩの個数を指定する。ＤＲＸ−Ｒｅｔｒａｎｓｍｉｓｓｉｏｎ  Ｔｉｍｅｒは、ＵＥが再伝送を予想すると直ちに当該再伝送のためのＰＤＣＣＨをモニタリングする連続的なＴＴＩの個数を指定する。ＤＲＸＳｈｏｒｔＣｙｃｌｅＴｉｍｅｒは、ＤＲＸ−Ｒｅｔｒａｎｓｍｉｓｓｉｏｎ  Ｔｉｍｅｒが満了した後、当該ＵＥが短いＤＲＸ周期に従う連続的なＴＴＩの個数を指定するパラメータである。
【００４７】
短いＤＲＸ周期（ｓｈｏｒｔ  ＤＲＸ  ｃｙｃｌｅ）は、ＵＥにデータが伝送される時に間欠的な短い無−データ伝送区間でＵＥが電力を節約することに寄与し、長いＤＲＸ周期（ｌｏｎｇ  ＤＲＸ  ｃｙｃｌｅ）は、ＵＥに伝送されていたり、伝送されるべきデータがない期間にＵＥが電力を節約することに寄与する。例えば、インターネットブラウジングの場合、あるウェブページをローディングしながら瞬間的な電力節約が得られる期間に該当するものが短いＤＲＸ周期であり、ユーザーの連続したクリック、すなわち、ユーザーがあるページをクリックしてから別のページをクリックするまでに伝送されるデータがないため電力節約をする期間に該当するものが長いＤＲＸ周期である。したがって、短いＤＲＸ周期の長さは、長いＤＲＸ周期の長さよりも短い。
【００４８】
毎ＴＴＩごとにｅＮＢはどのＵＥにデータを送るか決定し、ｅＮＢは、ＰＤＣＣＨを通じてＵＥに、そのＵＥへ向かうデータがあることを知らせる。しかるに、同一の区間で目覚め、同一のＤＲＸ周期を有する複数のＵＥは、一般的に好ましくない。同一の区間でデータが全てのＵＥへ向かうと、ＰＤＣＣＨを通じてスケジューリング（ｓｃｈｅｄｕｌｉｎｇ）情報が全てのＵＥに伝送されるとは限らない。
【００４９】
例えば、ＵＥ１〜ＵＥ１０までの１０個のＵＥが存在する場合、そしてＤＲＸ周期が１０ｍｓである場合、この１０個のＵＥはそれぞれ毎１０ｍｓごとにＰＤＣＣＨをモニタリングして、自身に向かうデータがあるか否か判別する。例えば、これらのＵＥがＴ＝０ｍｓでＤＲＸを行い始めたとすれば、これらのＵＥは０ｍｓ、１０ｍｓ、２０ｍｓなどで皆目覚めてＰＤＣＣＨの受信を試みる。この場合、もし、１１ｍｓ〜１９ｍｓで全てのＵＥに対するデータをｅＮＢが受信したとすれば、ｅＮＢはそれらのＵＥに２０ｍｓで、それらに向かうデータがあることを通知する。しかし、ＰＤＣＣＨを通じて伝送できるスケジューリング情報の量には限界があり、ｅＮＢは、それらＵＥのうちの一部にはデータがあることを通知できなくなることもある。したがって、ｅＮＢは、オフセットを用いて、ＵＥがＰＤＣＣＨをモニタリングする区間を分散させる。
【００５０】
例えば、ＵＥ  １は１ｍｓ、１１ｍｓ、２１ｍｓに目覚めてＰＤＣＣＨの受信を試みるようにオフセットが設定されることができ、ＵＥ  ２は、２ｍｓ、１２ｍｓ、２２ｍｓに目覚めてＰＤＣＣＨの受信を試みるようにオフセットが設定されることができる。このオフセットをＤＲＸ開始オフセット（ＤＲＸ  ｓｔａｒｔ  ｏｆｆｓｅｔ）と命名する。ｅＮＢは、所定ＵＥにそのＵＥのＤＲＸ開始オフセットを表す一つの値を知らせる。したがって、ＵＥは、受信された自身に対するＤＲＸ開始オフセットを表す一つの値に基づいて、どの時点から如何なる間隔でＰＤＣＣＨをモニタリングしなければならないのか判断する。例えば、長いＤＲＸ周期は、ｍｓ単位で‘１０、２０、３２、４０、６４、８０、１２８、１６０、２５６、３２０、５１２、６４０、１０２４、１２８０、２０４８、２５６０’のいずれか一つとすることができ、短いＤＲＸ周期は、ｍｓ単位で‘２、５、８、１６、２０、３２、４０、６４、８０、１２８、１６０、２５６、３２０、５１２、６４０’のいずれか一つとすることができる。
【００５１】
しかし、もし、ｅＮＢが一つのＤＲＸ周期、例えば、長いＤＲＸ周期を基準にしてＤＲＸ開始オフセットを決定した場合には問題が生じうる。例えば、長いＤＲＸ周期が２５６０ｍｓで、短いＤＲＸ周期が５１２ｍｓである場合を仮定すると、長いＤＲＸ周期を基準にして可能ＤＲＸ開始オフセットは０〜２５５９である。ｅＮＢが０〜５１１のうちの一つをＤＲＸ開始オフセットとして用いると、オンデューレーションタイマーを動作させるための条件である下の表２の動作には何ら問題もない。
【００５２】
【表２】
0005209797.tif 000003
しかし、もし、ｅＮＢが５１２〜２５５９のうちの一つの値をＤＲＸ開始オフセットとして用いると、［（ＳＦＮ×１０）＋サブフレーム番号］を短いＤＲＸ周期で割った余りが常に５１２よりも小さいので、［（ＳＦＮ×１０）＋サブフレーム番号］を短いＤＲＸ周期で割った余りがＤＲＸ開始オフセットと同一であるという条件を満たすサブフレームは存在しなくなる。その結果、ｅＮＢが短いＤＲＸを設定しても、ＵＥは、短いＤＲＸを使用することができない。このような問題点を解決するための方法を以下に説明する。
【００５３】
（第１実施例）
本発明の第１実施例によれば、ＵＥは、短いＤＲＸ周期が使用される場合に、ｅＮＢから受信したＤＲＸ開始オフセットを変形する演算を適用する。これは、［（ＳＦＮ×１０）＋サブフレーム番号］を短いＤＲＸ周期で割った余りが、変形されてＤＲＸ開始オフセットと同一であるという条件を満たすサブフレームが常に存在するように確保することができる。ＤＲＸ開始オフセットを変形する演算の一例にモジューロ演算がある。特に、モジューロ演算は、短いＤＲＸ周期の始点を求めるのに用いることができる。特に、ＵＥはｅＮＢから受信したＤＲＸ開始オフセットに対してモジューロ演算を行い、該モジューロ演算の結果値を、短いＤＲＸ周期でオンデューレーションタイマーの始点を判断するのに利用する。この例で、上記の表２は下記の表３のように変更されうる。
【００５４】
【表３】
0005209797.tif 000004
上記の方法は、ｅＮＢからＵＥに伝送されるメッセージのサイズを変更させないことから、無線リソースが節約される。すなわち、ｅＮＢは、一つの値、すなわち、一つのＤＲＸ開始オフセットのみをＵＥに伝送することから、シグナリングが效果的に行なわれる。
例えば、長いＤＲＸ周期は２５６０ｍｓで、短いＤＲＸ周期は５１２ｍｓで、ＤＲＸ開始オフセットが１０００ｍｓであれば、短いＤＲＸ周期が使用される場合、変形されたＤＲＸ開始オフセットは４８８ｍｓ、すなわち、１０００  ｍｏｄｕｌｏ  ５１２となる。一方、長いＤＲＸ周期が使用される場合、ＤＲＸ開始オフセットはそのまま１０００ｍｓになる。上記の第１実施例では、一つのＤＲＸ開始オフセットを利用したが、以下の本発明の第２実施例では複数のＤＲＸ開始オフセットを各ＤＲＸ周期に利用することができる。
【００５５】
（第２実施例）
本発明の第２実施例において、ｅＮＢがＵＥに複数個のＤＲＸ周期を設定する場合、当該ＵＥに各周期に対するＤＲＸ開始オフセットを知らせる。そして、ＵＥは、ｅＮＢからＤＲＸ構成情報を受信する場合、特に、ＤＲＸ構成情報が複数個のＤＲＸ周期を指示する場合、ＤＲＸ周期の始点を計算するに当たって、各ＤＲＸ周期に対してＤＲＸ開始オフセットを用いる。
【００５６】
例えば、ｅＮＢが２５６０ｍｓの長いＤＲＸ周期及び５１２ｍｓの短いＤＲＸ周期をＵＥに設定しようとする場合、これらのＤＲＸ周期に対するオフセット値を当該ＵＥにさらに知らせる。例えば、ｅＮＢは、長いＤＲＸではＤＲＸオフセット１０００を使用し、短いＤＲＸではＤＲＸオフセット４８８を使用するようにＵＥに命令できる。すると、ＵＥは、ＤＲＸレベル、すなわち、短いＤＲＸ周期及び長いＤＲＸ周期に対して受信したＤＲＸオフセット値を用いてＤＲＸ始点を計算する。
【００５７】
この第２実施例によれば、表２は次の表４のように変更される。上記の方法は、ｅＮＢからＵＥに伝送されるべきシグナリングが増加することがあるが、上記の第１実施例で行なわれる追加的な計算動作を排除することができる。
【００５８】
【表４】
0005209797.tif 000005
図６は、ｅＮＢ、ＵＥまたはその他の装備に適用可能であり、上述した本発明の実施例によるＤＲＸ方法を具現するためのデバイス６０を示すブロック図である。図６に示すように、デバイス６０は、プロセッサユニット６１、メモリーユニット６２、ＲＦ（Ｒａｄｉｏ  Ｆｒｅｑｕｅｎｃｙ）ユニット６３、ディスプレイユニット６４及びユーザーインターフェースユニット６５を含む。プロセッサユニット６１は、物理インターフェースプロトコル層に関与する。プロセッサユニット６１は、制御プレーンとユーザープレーンを提供する。また、プロセッサユニット６１は、上記第１実施例のように、基地局から一つのＤＲＸ開始オフセットが受信されて短いＤＲＸ周期及び長いＤＲＸ周期の両方に使用されるのか、または、上記第２実施例のように、複数個のＤＲＸオフセットが受信されるのかに基づいて、ＤＲＸオフセットを計算することができる。メモリーユニット６２は、プロセッサユニット６１と電気的に連結されており、オペレーティングシステム（ｏｐｅｒａｔｉｎｇ  ｓｙｓｔｅｍ）、応用プログラム（ａｐｐｌｉｃａｔｉｏｎ）及び一般ファイルを格納する。デバイス６０をＵＥとすれば、ディスプレイユニット６４は、様々な情報を表示でき、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅ）などで具現することができる。ユーザーインターフェースユニット６５は、キーパッド、タッチスクリーンなどのような公知のユーザーインターフェースと結合して構成することができる。ＲＦユニット６３は、プロセッサユニット６１と電気的に連結されており、無線信号を送受信する。
【００５９】
以上の説明から明らかなように、ｅＮＢは、本発明の好適な実施例によってＤＲＸを效果的に設定することによって、減少した量のシグナリング情報を伝送し、結果として無線リソースをより效果的に使用する。
【００６０】
以上説明された実施例は、本発明の構成要素及び特徴が結合してなるものである。各構成要素または特徴は、特別な明示的な言及がない限り、選択的なものとして考慮しなければならない。各構成要素または特徴を他の構成要素や特徴と結合することなく実施することができる。また、一部の構成要素及び／または特徴を結合して本発明の実施例を構成することもできる。本発明の実施例で説明される動作の順序は変更可能である。ある実施例のいくつかの構成は他の実施例に含まれることができ、または、他の実施例の対応する構成に取って代わることもできる。特許請求の範囲で明示的な引用関係を有しない請求項を結合して実施例を構成したり、出願後の補正により新しい請求項として含めることもできることは明らかである。
【００６１】
ＵＥは、移動局（ＭＳ：Ｍｏｂｉｌｅ  Ｓｔａｔｉｏｎ）、ＳＳ（Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）または移動端末（Ｍｏｂｉｌｅ  Ｔｅｒｍｉｎａｌ）などの用語に代替可能である。
【００６２】
ＵＥには、ＰＤＡ（Ｐｅｒｓｏｎａｌ  Ｄｉｇｉｔａｌ  Ａｓｓｉｓｔａｎｔ）、セルラーフォン、ＰＣＳ（Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォンなどを用いることができる。
【００６３】
本発明のユーザー機器でのダウンリンク制御チャネルモニタリング方法は、本発明の精神及び範囲を逸脱しない範囲で様々な修正及び変形が可能であるということが、当業者には自明である。したがって、添付した請求範囲及びその等価範囲内でなされた修正及び変形も本発明の範囲に含まれると理解すべきである。
【実施例】
【００６４】
様々な実施例が、本発明を実施するための形態で説明された。
【００６５】
以上で説明された実施例は、本発明の構成要素及び特徴が所定の形態で結合されたものである。各構成要素または特徴は別の明示的な言及がない限り選択的なものとして考慮しなければならない。各構成要素または特徴は、他の構成要素や特徴と結合せずに実施することもできる。また、一部の構成要素及び／または特徴を結合して本発明の実施例を構成することも可能である。本発明の実施例で説明される動作の順序は変更可能である。ある実施例のいくつかの構成は他の実施例に含まれることもでき、または、他の実施例の対応する構成に取って代わることもできる。特許請求の範囲で明示的な引用関係を有しない請求項を結合して実施例を構成したり、出願後の補正により新しい請求項として含めることもできることは自明である。
【００６６】
本発明の実施例は、ハードウェア、ファームウェア（ｆｉｒｍｗａｒｅ）、ソフトウェアまたはそれらの結合などにより具現することができる。本発明がハードウェアによる具現てある場合、本発明の実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【００６７】
本発明がファームウェアやソフトウェアにより具現される場合、本発明の実施例による方法は、以上で説明された機能または動作を行うモジュール、手順または関数などの形態で具現することができる。ソフトウェアコードは、メモリーユニットに記憶されてプロセッサにより駆動されることができる。メモリーユニットは、プロセッサの内部または外部に設けられて、公知の様々な手段によりプロセッサとデータをやり取りすることができる。
【００６８】
本発明は、本発明の精神及び必須特徴を逸脱しない範囲で他の特定の形態に具体化することができる。したがって、上述の詳細な説明はいずれの面においても制約的に解釈されてはならず、例示的なものとして考慮されなければならない。本発明の範囲は、添付した請求項の合理的解析によって決定しなければならず、よって、本発明の等価的範囲内における変更はいずれも本発明の範囲に含まれる。また、特許請求の範囲で明示的な引用関係を有しない請求項を結合して実施例を構成したり、出願後の補正により新しい請求項として含めることができる。
【産業上の利用可能性】
【００６９】
以上説明した本発明は、無線移動通信システムのユーザー機器、基地局、またはその他の装備に利用されることができる。
【図１】
0005209797.tif 000006
【図２】
0005209797.tif 000007
【図３】
0005209797.tif 000008
【図４】
0005209797.tif 000009
【図５】
0005209797.tif 000010
【図６】
0005209797.tif 000011